【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
（ａ）ＳＩＭを含むモバイルデバイスについて発生したイベントの情報（ｉｎｄｉｃａｔｉｏｎ）を前記ＳＩＭによって受信するステップと、
（ｂ）前記イベントが少なくとも一つの条件を満たすかを前記ＳＩＭによって判定するステップと、
（ｃ）前記イベントを前記ＳＩＭによってブロックするステップと、を含む、モバイルデバイスのＳＩＭをベースとするファイヤウォールを操作する方法。
【請求項２】
前記イベントは、発呼、着呼、着テキストメッセージ、発テキストメッセージ、ＭＭＳメッセージ、ＳＭＳメッセージ、ＵＳＳＤメッセージ、ビデオ呼、ＰＴＴ（Ｐｕｓｈ  ｔｏ  Ｔａｌｋ）呼、ＶＯＩＰ呼、電子メール、ＣＢ（Ｃｅｌｌ  Ｂｒｏａｄｃａｓｔ）、インスタントメッセージ、ＧＲＰＳ接続の開始、ブルーツース接続の開始、ネットワーク通信接続の開始、またはデータ接続の開始のうちの一つを含む、請求項１記載の方法。
【請求項３】
前記少なくとも一つの条件は、
前記イベントの発信元の電話番号、
前記イベントの発信元の電話番号の一部、
前記イベントの発信元の地理的領域、
前記イベントが発生した時間、
前記イベントが発生した日付、
所定の時間期間の間、過去に前記モバイルデバイスを介して処理された呼の合計量、
所定の時間期間の間、過去に前記モバイルデバイスを介して処理されたテキストメッセージの合計量、
所定の時間期間の間、過去に前記モバイルデバイスを介して処理されたＭＭＳメッセージの合計量、
所定の時間期間の間、過去に前記モバイルデバイスを介して処理されたデータの合計量、
または、前記イベントの発信元アドレスの特性のうちの一つを含む、請求項１または２に記載の方法。
【請求項４】
前記ステップ（ｃ）は、前記ＳＩＭによって、イベントが前記モバイルデバイスのユーザインタフェースを介して表示されることを防止するステップを含む、請求項１から３のいずれかに記載の方法。
【請求項５】
前記ステップ（ｃ）は、前記ＳＩＭによって、前記モバイルデバイスが前記イベントに関する情報を送信することを防止するステップを含む、請求項１から４のいずれかに記載の方法。
【請求項６】
さらに、前記ＳＩＭによって、所定の一群のイベントの情報（ｉｎｄｉｃａｔｉｏｎ）を受信することを登録するステップを含む、請求項１から５のいずれかに記載の方法。
【請求項７】
さらに、前記モバイルデバイスによって、遠隔の発信元から前記少なくとも一つの条件を受信するステップを含む、請求項１から６のいずれかに記載の方法。
【請求項８】
さらに、ウェブサイトを介して、ブロックするための前記少なくとも一つの条件を受信するステップと、前記モバイルデバイスに前記少なくとも一つの条件を送信するステップと、を含む、請求項７記載の方法。
【請求項９】
さらに、音声認識システム、自動電話応答システム、モバイル用のインターネットサイトまたは第２のモバイルデバイスのうちの一つを介して、ブロックするための前記少なくとも一つの条件を受信するステップと、前記モバイルデバイスに前記少なくとも一つの条件を送信するステップと、を含む、請求項１から８のいずれかに記載の方法。
【請求項１０】
さらに、インタラクティブＴＶまたはインターネットプロトコルＴＶ（ＩＰＴＶ）の一つを介して、ブロックするための前記少なくとも一つの条件を受信するステップと、前記モバイルデバイスに前記少なくとも一つの条件を送信するステップと、を含む、請求項１から９のいずれかに記載の方法。
【請求項１１】
さらに、遠隔システムに、イベントが検出された情報（ｉｎｄｉｃａｔｉｏｎ）を送信するステップを含む、請求項１から１０のいずれかに記載の方法。
【請求項１２】
さらに、前記遠隔システムに、前記イベントをブロックした情報（ｉｎｄｉｃａｔｉｏｎ）を送信するステップを含む、請求項１１記載の方法。
【請求項１３】
モバイルデバイスのファイヤウォールとして用いるＳＩＭであって、
前記ＳＩＭは、
前記ＳＩＭを含むモバイルデバイスについて発生したイベントの情報（ｉｎｄｉｃａｔｉｏｎ）を前記ＳＩＭによって受信する手段と、
前記イベントが少なくとも一つの条件を満たすかを前記ＳＩＭによって判定する手段と、
前記イベントを前記ＳＩＭによってブロックする手段と、を含む、ＳＩＭ。
【請求項１４】
前記イベントは、発呼、着呼、着テキストメッセージ、発テキストメッセージ、ＭＭＳメッセージ、ＳＭＳメッセージ、ＵＳＳＤメッセージ、ビデオ呼、ＰＴＴ（Ｐｕｓｈ  ｔｏ  Ｔａｌｋ）呼、ＶＯＩＰ呼、電子メール、ＣＢ（Ｃｅｌｌ  Ｂｒｏａｄｃａｓｔ）、インスタントメッセージ、ＧＲＰＳ接続の開始、ブルーツース接続の開始、ネットワーク通信接続の開始、またはデータ接続の開始のうちの一つを含む、請求項１３記載のシステム。
【請求項１５】
前記少なくとも一つの条件は、
前記イベントの発信元の電話番号、
前記イベントの発信元の電話番号の一部、
前記イベントの発信元の地理的領域、
前記イベントが発生した時間、
前記イベントが発生した日付、
所定の時間期間の間、過去に前記モバイルデバイスを介して処理された呼の合計量、
所定の時間期間の間、過去に前記モバイルデバイスを介して処理されたテキストメッセージの合計量、
所定の時間期間の間、過去に前記モバイルデバイスを介して処理されたＭＭＳメッセージの合計量、
所定の時間期間の間、過去に前記モバイルデバイスを介して処理されたデータの合計量、
所定の時間期間の間、過去に前記モバイルデバイスを介して処理されたイベントの合計量、
または、前記イベントの発信元アドレスの特性のうちの一つを含む、請求項１３または１４に記載のシステム。
【請求項１６】
前記ＳＩＭは、イベントが前記モバイルデバイスのユーザインタフェースを介して表示されることを防止する手段を含む、請求項１３から１５のいずれかに記載のシステム。
【請求項１７】
前記ＳＩＭは、前記モバイルデバイスが前記イベントに関する情報を送信することを防止する手段を含む、請求項１３から１６のいずれかに記載のシステム。
【請求項１８】
さらに、所定の一群のイベントの情報（ｉｎｄｉｃａｔｉｏｎ）を受信することを前記ＳＩＭによって登録する手段を含む、請求項１３から１７のいずれかに記載のシステム。
【請求項１９】
さらに、前記ＳＩＭによって、遠隔の発信元から前記少なくとも一つの条件を受信する手段を含む、請求項１３から１８のいずれかに記載のシステム。
【請求項２０】
さらに、遠隔システムに、イベントが検出された情報（ｉｎｄｉｃａｔｉｏｎ）を送信する手段を含む、請求項１３から１９のいずれかに記載のシステム。
【請求項２１】
さらに、前記遠隔システムに、前記イベントをブロックした情報（ｉｎｄｉｃａｔｉｏｎ）を送信する手段を含む、請求項２０記載のシステム。
【請求項２２】
（ａ）モバイルデバイスのＳＩＭによって、前記ＳＩＭのメモリの一部の修正を検出するステップと、
（ｂ）前記ＳＩＭによって、前記モバイルデバイスについて発生したイベントの情報（ｉｎｄｉｃａｔｉｏｎ）を受信するステップと、
（ｃ）前記ＳＩＭによって、少なくとも部分的に、前記修正の検出に基づいて、前記イベントをブロックするステップと、を含む、前記モバイルデバイスの前記ＳＩＭをベースとするファイヤウォールを操作する方法。
【請求項２３】
前記ステップ（ａ）は、前記ＳＩＭのメモリの一部が修正された情報（ｉｎｄｉｃａｔｉｏｎ）を、前記モバイルデバイスのオペレーティングシステムから受信するステップを含む、請求項２２記載の方法。
【請求項２４】
前記ステップ（ａ）は、前記ＳＩＭのメモリの一部が修正された情報（ｉｎｄｉｃａｔｉｏｎ）を、前記ＳＩＭのオペレーティングシステムから受信するステップを含む、請求項２２または２３に記載の方法。
【請求項２５】
前記ステップ（ａ）は、メモリの一部のコンテンツが過去の時間の前記メモリの一部のコンテンツが異なることを判定するステップを含む、請求項２２から２４のいずれかに記載の方法。